(57)【特許請求の範囲】
【請求項１】
左勝手用浴槽及び右勝手用浴槽のうちのいずれかの浴槽と、洗い場と、前記浴槽と洗い場との境界部であり浴槽上部から洗い場床面へと垂下するエプロンと、浴室カウンターとを備える浴室ユニットにおいて、前記浴槽が、洗い場側長手方向の一端側に洗い場側へ張り出す広幅浴部を有し、前記エプロンが、前記広幅浴部に沿って湾曲する曲線部及びこの曲線部に連なり浴槽の長手方向に沿って両側に平行に広がる直線部を有し、前記浴室カウンターが、第一支持部と、この第一支持部を中心に左右対称に配置された第二支持部とを有し、この第二支持部高さを前記第一支持部よりも高く且つ前記浴槽上面よりも低くし、前記第二支持部の側端と前記エプロンの直線部とが当接した浴室ユニット。
【発明の詳細な説明】
【０００１】
【発明の属する技術分野】
この発明は、浴室用スペースに備える浴室ユニットで、左右勝手共通の浴室カウンターを備える浴室ユニットに関するものである。
【０００２】
【従来の技術】
浴室は、人が最もリラックスできる住宅空間であるから、近年、様々な環境を整えた浴室又は種々の浴槽が提案されている。従来の隅丸長方形の対称形浴槽から、図５のようなヒョウタン形浴槽若しくはマユ形浴槽等の非対称形浴槽１０の出現であり、その非対称形浴槽１０の一端側には非対称形浴室カウンター１５が連続的に配置されている。
浴室に非対称形浴槽１０を用いる場合、出入口との関係で、通常、左勝手用浴槽１０Ａと右勝手用浴槽１０Ｂの二種類が必要であり、浴室カウンター１５も左勝手用カウンター１５Ａと右勝手用カウンター１５Ｂの二種類が必要である。
【０００３】
【発明が解決しようとする課題】
浴室ユニットの供給側（製造メーカ）にとって、このような左勝手用及び右勝手用の二種類の浴槽を必要とすること、あるいは左勝手用及び右勝手用の二種類の浴室カウンターを必要とすることは、製造コストや保管場所の面で難点がある。
本発明は、このような難点を解消又は軽減することを目的とするものであり、非対称形浴槽を用いた場合も一種類の浴室カウンターで左勝手用にも右勝手用にも対応でき、しかも使い勝手が良く、浴室の多様化も可能な浴室ユニットを提供することにある。
【０００４】
【課題を解決するための手段】
上記目的を達成するために、本発明の浴室ユニットは、次の構成をとる。すなわち、本発明の浴室ユニットは、左勝手用浴槽及び右勝手用浴槽のうちのいずれかの浴槽と、洗い場と、前記浴槽と洗い場との境界部であり浴槽上部から洗い場床面へと垂下するエプロンと、浴室カウンターとを備える浴室ユニットにおいて、前記浴槽が、洗い場側長手方向の一端側に洗い場側へ張り出す広幅浴部を有し、前記エプロンが、前記広幅浴部に沿って湾曲する曲線部及びこの曲線部に連なり浴槽の長手方向に沿って両側に平行に広がる直線部を有し、前記浴室カウンターが、第一支持部と、この第一支持部を中心に左右対称に配置された第二支持部とを有し、この第二支持部高さを前記第一支持部よりも高く且つ前記浴槽上面よりも低くし、前記第二支持部の側端と前記エプロンの直線部とが当接した浴室ユニットである。
【０００５】
このような構造の浴室ユニットは、次のような構成とすることで達成しうる。すなわち、
左勝手用浴槽１１及び右勝手用浴槽１２のうちの何れかの（一方側）浴槽１と、洗い場と、浴室カウンター５とを備える浴室ユニットにおいて、
浴槽１には、その洗い場側長手方向の一端側に洗い場側へ張り出す広幅浴部２を設け、
浴槽１と洗い場の境界部には、浴槽上部から洗い場床面へ垂下する浴槽エプロン３を設け、
前記浴槽エプロン３は、前記広幅浴部２に沿って湾曲する曲線部（曲面部を含む意味）３ａと、その曲線部３ａに連なって浴槽１の長手方向に沿って両側に平行に広がる直線部（平面部を含む意味）３ｂとからつくり、
前記浴室カウンター５は、第一支持部６と、前記第一支持部を中心に左右対称に配置された第二支持部７と、洗い場床に向けて垂下するスカート９とからつくり、
前記第二支持部７の側端は、前記浴槽エプロン３の直線部３ｂに当接させて、そして、
第二支持部７の前縁７ａ及びスカート９を、前記曲線部３ａと一体感を形成するように設ければよい。
【０００６】
ここで「（一方側）浴槽」とは、広幅浴部を備えている浴槽を言い、例えば長手方向の一端部左側に広幅浴部を備えた左勝手用浴槽や、長手方向の一端部右側に広幅浴部を備えた右勝手用浴槽を言う。
また、「浴槽エプロン」とは、浴槽側壁の上端部から洗い場側に張り出す上面と洗い場との間に設けるものである。
また、「浴室カウンター」とは、浴室内で用いる石鹸、シャンプー、リンス、洗面器、髭剃り、軽石等を載置するもので、その内、第一支持部は主に洗面器の載置部として用い、第二支持部は主に石鹸類の載置部として用いる。
また、「曲線部と一体感を形成する」とは、曲線部に連続しているが如くの形状で、曲線部と調和し、曲線部とデザインが統一されていることを言う。
【０００７】
上記した浴室ユニットにおいて、好ましくは、第一支持部の（洗い場からの）支持部高さ（ｔ）は、３００乃至３５０ｍｍであり、第二支持部は、第一支持部より一段高く、浴槽上面よりは低く、（一方側）浴槽の上部と浴室カウンターの上部とは同じ色彩模様とする。
【０００８】
なお、「第二支持部は、…浴槽上面よりは低く」する意義は、第二支持部に石鹸水等が流れても、第二支持部から浴槽内への流れ込みを阻止するためであり、「第一支持部の支持部高さ（ｔ）を３００乃至３５０ｍｍ」とする意義は、腰掛けて洗髪するのに適しているからである。また、「色彩模様」とは、色彩（例えば、ブルー系やイエロー系）と模様（例えば、梨地模様や大理石模様）との組合せであり、これは、精神を安定にする香りや照明等と併用することも可能である。
【０００９】
また、上記の浴室ユニットにおいて、好ましくは、第一支持部の上側に、浴室支援セットを設ける。ここで「浴室支援セット」とは、身体や頭髪を洗う時に使用するミラー（又は防曇ミラー）、水栓、又はシャワー等の器具・付帯設備類をいう。
【００１０】
【発明の実施の形態】
以下、添付図面により本発明を更に具体的に説明する。
図１は、本発明に係る浴室ユニットの第一実施形態を示す平面図で、（イ）は左勝手用浴槽１１を有する浴室ユニット、（ロ）は右勝手用浴槽１２を有する浴室ユニットを示す。（ロ）の浴室ユニットで説明する。浴室ユニットは右勝手用浴槽１２（一方側浴槽１）及び浴室カウンター５を備え、その浴槽１２には洗い場側長手方向の一端側に洗い場側へ張り出す広幅浴部２（ステップを備える）が設けられ、洗い場側には浴槽エプロン３が垂下している。
浴槽エプロン３は、広幅浴部２に沿って湾曲する曲線部３ｂと、その曲線部３ｂに連なり浴槽１２の長手方向に沿って両側に平行に広がる直線部３ａとからなる。また、浴室カウンター５は、第一支持部６と、第一支持部６を中心に左右対称に配置された第二支持部７Ａ，７Ｂと、洗い場床に向けて垂下するスカート（図に表れていない）とからなり、その第二支持部７Ａの側端は浴槽エプロンの直線部３ａに当接していて、第二支持部７の前縁（図に表れていない）とスカートとは曲線部３ｂと一体感を形成している。ここで、第二支持部７Ａ，７Ｂの端面幅（ｈ）は、浴槽エプロン３の直線部寸法（Ｈ）と同程度か少し短かめにする。
【００１１】
第一実施形態の浴室ユニットは上記のとおりであるから、浴室ユニットの製造メーカ側において、予め、左勝手用浴槽１１及び右勝手用浴槽１２並びに浴室カウンター５が準備される。浴室ユニットの据付時に、左勝手用浴槽１１と右勝手用浴槽１２との中からその浴室に応じた一方側浴槽１を選択し、これを設置した後、一方側浴槽１の広幅浴部２側に浴室カウンター５を設置する。この際、広幅浴部２の浴槽エプロン直線部３ａに、浴室カウンター５の一方側第二支持部７の側端を当接すれば、一方側第二支持部７の前縁が浴槽エプロン３の曲線部３ｂに連続して、一方側浴槽１と浴室カウンター５とが一体の如き外観を呈する。
【００１２】
図２は、本発明に係る浴室ユニットの第二実施形態（側面図）である。第一実施形態と相違する点について説明すれば、第一支持部６の（洗い場からの）支持部高さｔが３００乃至３５０ｍｍ程度であり、第二支持部７Ａ，７Ｂは第一支持部６より一段高く、浴槽上面１ａよりは低く、一方側浴槽１と浴室カウンター５との少なくとも上部は同じ色彩模様である。
浴室カウンター５を取付ける際、第二支持部７Ａ，７Ｂを浴槽上面１ａよりも５ｍｍ程度低くし、第一支持部６の支持部高さｔを３４０ｍｍ程度にしておく。
【００１３】
図３は、本発明に係る浴室ユニットの第三実施形態（浴室支援セットの配置）を示す正面図である。第二実施形態と相違する点について説明すれば、第一支持部６の上側に、防曇ミラー２１と水栓２２とシャワー２３とから成る浴室支援セット２０を配している。
【００１４】
図４は、本発明に係る浴室ユニットの第四実施形態（浴室支援セットの類型）を示す正面図である。第三実施形態と相違する点は、第一支持部６の上側にミラーを設けていないことである。
なお、浴室支援セットの組み合わせは自由であり、工場で予め組立てておくことも可能であり、現場で組立てることも可能である。
【００１５】
なお、浴槽１は、長手方向の一端部に広幅浴部２を備えた（左勝手用又は右勝手用）浴槽に限定されるものではなく、ヒョウタン形浴槽やマユ形浴槽の如く長手方向の両端部にそれぞれ広幅浴部を備えた浴槽であってもよい。
また、浴室支援セット２０は、防曇ミラー２１と水栓２２とシャワー２３との組合わせに限定されるものではなく、棚や扇風機、換気装置等とも組合わせることができる。
【００１６】
【発明の効果】
本発明の浴室ユニットにおいて、浴槽は左勝手用浴槽と右勝手用浴槽の二種類が必要である点は残るが、浴室カウンターは左勝手用と右勝手用とで共通し（共用化でき）、したがって、浴室カウンターは一種類で済む。そのため、部品点数が少なくなり、製造コスト及び保管場所の面で寄与し、また、施工も容易になる。
また、一方側第二支持部の側端が浴槽エプロンの直線部に当接し、前縁が浴槽エプロンの曲線部に連続するようになるので、一方側浴槽と浴室カウンターとが一体的になり、浴室内の調和が保たれる。
【００１７】
浴室カウンターの第二支持部を浴槽上面より低く、第一支持部を第二支持部より更に低くすれば、第一支持部で洗顔したり洗髪しても、洗剤が浴槽内に流れ込むことがない。特に、第一支持部は、洗い場に腰掛けて使用した場合に最適である。また、浴槽と浴室カウンターとの上部を同じ色彩模様にすれば、一体感が更に向上し、安定感と安らぎが得られる。
【００１８】
また、通常、左右対称系形の浴室カウンターの第一支持部（すなわち、浴室カウンターの中央部）の上側に浴室支援セットを備えるので、浴室カウンターの取付け位置に左右されずに浴室支援セットを配することができる。また、浴室支援セットの組み合わせにより、浴室内を更に多様化し得る。
【図面の簡単な説明】
【図１】本発明に係る浴室ユニットの第一実施形態を示す平面図で、（イ）は左勝手用浴槽を有する浴室ユニット、（ロ）は右勝手用浴槽を有する浴室ユニットである。
【図２】本発明に係る浴室ユニットの第二実施形態を示す側面図である。
【図３】本発明に係る浴室ユニットの第三実施形態で、浴室支援セットの配置を示す正面図である。
【図４】本発明に係る浴室ユニットの第四実施形態で、浴室支援セットの類型を示す正面図である。
【図５】従来例の浴室ユニットにおける浴槽と浴室カウンターとの関係を示す平面図で、左勝手用浴槽を有するもの（イ）及び右勝手用浴槽を有するもの（ロ）である。
【符号の説明】
１：一方側浴槽        １ａ：浴槽上面
２：広幅浴部          ２ａ：ステップ
３：浴槽エプロン    ３ａ：直線部    ３ｂ：曲線部
５，１５、１５Ａ，１５Ｂ：浴室カウンター
６：第一支持部
７：一方側第二支持部    ７Ａ，７Ｂ：第二支持部    ７ａ：前縁
８：取付部          ９：スカート
１０：非対称形浴槽
１０Ａ，１１：左勝手用浴槽    １０Ｂ，１２：右勝手用浴槽
２０：浴室支援セット      ２１：防曇ミラー
２２：水栓            ２３：シャワー
Ｆ：洗い場          ｔ：支持部高さ
Ｈ：浴槽エプロンの直線部寸法    ｈ：第二支持の端面幅
【図１】
0003705418.tif 000002
【図２】
0003705418.tif 000003
【図３】
0003705418.tif 000004
【図４】
0003705418.tif 000005
【図５】
0003705418.tif 000006